(57)【要約】【課題】カバーモジュールと本体モジュールを分離することによって縦横ディスプレイ画面を容易に使い分けることができる分離式携帯電話の提供を図る。【解決手段】カバーモジュールと本体モジュールを外部入出力端子付ヒンジを介して分離することができる分離式携帯電話において、カバーモジュールと本体モジュールに複数のディスプレイ画面を配設し、さらにカバーモジュールの接続端子付ヒンジにバッテリー電池を接続した構造と、カバーモジュールをトップ画面側とメイン画面側とに二分割し、該トップ画面側とメイン画面側の何れかに回動機構ならびにストッパー機構を内蔵した構造と、携帯電話の電源機能ならびに表示機能を共有する外部外付けユニット構造を採用している。【選択図】図１
2008263622.tif 000002
【特許請求の範囲】
【請求項１】
携帯電話モジュールのカバーモジュールと、本体モジュールと、を外部入出力端子付ヒンジを介して分離したことを特徴とする分離式携帯電話。
【請求項２】
携帯電話モジュールに少なくとも３以上の複数のディスプレイ画面を設けたことを特徴とする請求項１記載の分離式携帯電話。
【請求項３】
カバーモジュールをトップ画面側とメイン画面側とに二分割し、該トップ画面側とメイン画面側の何れかに回動機構ならびにストッパー機構を内蔵したことを特徴とする請求項１又は請求項２記載の分離式携帯電話。
【請求項４】
前記外部入出力端子付ヒンジにバッテリー電池を装着したことを特徴とする請求項１乃至請求項３の何れか１項に記載の分離式携帯電話。
【請求項５】
ワンセグ用およびデジカメ用のディスプレイ画面と、基板回路と、操作ボタンと、を本体モジュールから独立させてカバーモジュール内に設けたことを特徴とする請求項１乃至請求項４の何れか１項に記載の分離式携帯電話。
【請求項６】
画像を撮影する撮影手段と、
情報を表示する表示手段と、
前記撮影手段により撮影された画像を前記表示手段に表示させる表示制御手段と、
を備えていることを特徴とする請求項１乃至請求項５の何れか１項に記載の分離式携帯電話。
【請求項７】
前記撮影手段により撮影された画像を用いてテレビ電話を実現する機能を有していることを特徴とする請求項６に記載の分離式携帯電話。
【請求項８】
車両に取り付け可能、かつ前記撮影手段によりその車両の前方ならびに周囲を撮影可能に構成され、
前記撮影手段により撮影された画像を記憶・再生する記憶再生手段を備えていることを特徴とする請求項６に記載の分離式携帯電話。
【請求項９】
使用者の入力に基づき、外部の機器を無線により操作する外部機器制御手段を備えていることを特徴とする請求項１乃至請求項８の何れか１項に記載の分離式携帯電話。
【請求項１０】
地上デジタルテレビ放送用電波のうち、移動体用の電波を受信する電波受信手段と、
前記電波受信手段により受信された電波が表す内容を出力するテレビ放送出力手段と、を備え、
テレビ放送を受信可能なテレビ放送受信装置に取付可能に構成されていることを特徴とする請求項１ないし請求項９の何れか１項に記載の分離式携帯電話。
【請求項１１】
外部外付けユニットを着脱自在に接続するための外部入出力端子を備えていることを特徴とする請求項１乃至請求項１０の何れか１項に記載の分離式携帯電話。
【請求項１２】
記憶媒体を着脱自在に備えると共にその記憶媒体が記憶する情報の読み書きが自在な外部外付けユニットを、前記外部入出力端子を介して接続可能であることを特徴とする請求項１１に記載の分離式携帯電話。
【請求項１３】
画像を撮影する撮影手段を備え、
前記撮影手段により撮影された画像を取り込むと共にその取り込んだ画像を印刷可能な外部外付けユニットを、前記外部入出力端子を介して接続可能であることを特徴とする請求項１１に記載の分離式携帯電話。
【請求項１４】
前記外部入出力端子を介して、経路案内を行うナビゲーション装置と接続可能に構成されると共に、前記ナビゲーション装置から入力される経路案内に関する情報を周囲に報知可能に構成されていることを特徴とする請求項１１に記載の分離式携帯電話。
【請求項１５】
請求項１乃至請求項１４の何れか１項に記載の分離式携帯電話と着脱自在に構成され、その分離式携帯電話が有する電源機能および表示機能を共有可能に構成されたことを特徴とする外部外付けユニット。
【発明の詳細な説明】
【技術分野】
【０００１】
本発明は、縦横ディスプレイ画面を容易に使い分けて表示することができる分離式携帯電話に関する。
【背景技術】
【０００２】
現在一般に販売されている携帯電話の多くは、主にメール機能、デジカメ機能、通話機能が備えられているが、そこにワンセグ機能やインターネットブラウザ機能が新しく付け加えられることによって、従来の縦向きのディスプレイ画面表示から新たに横向きのディスプレイ画面表示の要求が生まれ、既存のタイプの携帯電話では、ワンセグ機能、フルブラウザ機能、メール機能、デジカメ機能、通話機能の各機能に合わせた最適な縦横のディスプレイ画面の使い分けができないため、携帯ユーザーは自分が多用する機能を備えた携帯電話を既存のタイプの携帯電話の中から消極法の手段で選択しなければならず、今後縦横のディスプレイ画面が容易に使い分けて表示することができる携帯電話の提供が待たれている。
【０００３】
例えば、メール機能、デジカメ機能、通話機能に関しては、従来のストレート式、開閉式、スライド式の何れの携帯電話でも対応することができるが、新たにワンセグ機能が要求されることによりディスプレイ表示画面の小さいストレート式が使いづらくなり、ディスプレイ表示画面が横型で操作入力ボタンが縦型で使用することが理想されるインターネットフルブラウザ機能に関しては、開閉式、スライド式が使いづらくなるものである。
【０００４】
そこで、上記問題点を解決する携帯電話として「折畳み式携帯通信機器」特許公開２００８−３５０２２号公報が提案されているが、該提案は、カバーモジュールのメイン画面部を表面から見て時計回りおよび反時計回りの何れの方向にも縦長状態から横長状態に回転可能にする提案であるが、ワンセグ画面表示やフルブラウザ画面表示中にメールや通話が不可能なことや、ベースモジュールの段差があることやゲーム画面・デジカメ撮影画面が縦型になる不便さは解決されずにいた。
【０００５】
また、「折りたたみ携帯電話縦方向及び横方向開閉構造」特許公開２００５−１１０１８８号公報が提案されているが、該提案は、縦型のメイン画面およびブラウザ画面をＷオープン方式によって横型画面表示にすることができるが、本体モジュールの操作入力ボタンの向きが横型画面表示時と異なって縦向きになるため見づらく、使いづらい不便さが残るものであった。
【０００６】
すなわち、上記の提案のいずれの携帯電話もワンセグ機能、フルブラウザ機能、メール機能、デジカメ機能、通話機能の全てを満たした最適な縦横のディスプレイ画面の使い分けができないことや、新たに生まれるワンセグ画面表示およびフルブラウザ画面表示の長時間使用時の消費電力の問題において解決する手段が提案されておらず、ディスプレイ画面表示機能と消費電力の二つの問題を解決した携帯電話の提案は未だなされていないものである。
【特許文献１】特許公開２００８−３５０２２号公報
【特許文献２】特許公開２００５−１１０１８８号公報
【発明の開示】
【発明が解決しようとする課題】
【０００７】
本発明は、かかる問題点を鑑み、縦横ディスプレイ画面を容易に使い分けることができる機能と消費電力の二つの問題を解決した分離式携帯電話の提供を図る。
【課題を解決するための手段】
【０００８】
前記目的を達成するため、本発明は、カバーモジュールと本体モジュールを外部入出力端子付ヒンジを介して分離することができる分離式携帯電話において、前記カバーモジュールと前記本体モジュールに複数のディスプレイ画面を配設し、前記カバーモジュールの外部入出力端子付ヒンジにバッテリー電池を接続した構造と、さらにカバーモジュールのトップ画面側とメイン画面側を分割し、該トップ画面側とメイン画面側の何れかに回動機構ならびにストッパー機構を内蔵した構造と、携帯電話の電源機能ならびに表示機能を共有する外部外付けユニット構造を採用している。
【０００９】
より具体的には、請求項１の発明は、携帯電話モジュールのカバーモジュールと、本体モジュールと、を外部入出力端子付ヒンジを介して分離したことを特徴とする分離式携帯電話である。
【００１０】
次に、請求項２の発明は、携帯電話モジュールに少なくとも３以上の複数のディスプレイ画面を設けたことを特徴とする請求項１記載の分離式携帯電話である。
次に、請求項３の発明は、カバーモジュールをトップ画面側とメイン画面側とに二分割し、該トップ画面側とメイン画面側の何れかに回動機構ならびにストッパー機構を内蔵したことを特徴とする請求項１又は請求項２記載の分離式携帯電話である。
【００１１】
次に、請求項４の発明は、外部入出力端子付ヒンジにバッテリー電池を装着したことを特徴とする請求項１乃至請求項３の何れか１項に記載の分離式携帯電話である。
次に、請求項５の発明は、ワンセグ用およびデジカメ用のディスプレイ画面と、基板回路と、操作ボタンと、を本体モジュールから独立させてカバーモジュール内に設けたことを特徴とする請求項１乃至請求項４の何れか１項に記載の分離式携帯電話である。
【００１２】
次に、請求項６の発明は、画像を撮影する撮影手段と、情報を表示する表示手段と、撮影手段により撮影された画像を表示手段に表示させる表示制御手段と、を備えていることを特徴とする請求項１乃至請求項５の何れか１項に記載の分離式携帯電話である。
【００１３】
次に、請求項７の発明は、撮影手段により撮影された画像を用いてテレビ電話を実現する機能を有していることを特徴とする請求項６に記載の分離式携帯電話である。
次に、請求項８の発明は、車両に取り付け可能、かつ撮影手段によりその車両の前方ならびに周囲を撮影可能に構成され、撮影手段により撮影された画像を記憶・再生する記憶再生手段を備えていることを特徴とする請求項６に記載の分離式携帯電話である。
【００１４】
次に、請求項９の発明は、使用者の入力に基づき、外部の機器を無線により操作する外部機器制御手段を備えていることを特徴とする請求項１乃至請求項８の何れか１項に記載の分離式携帯電話である。
【００１５】
次に、請求項１０の発明は、地上デジタルテレビ放送用電波のうち、移動体用の電波を受信する電波受信手段と、電波受信手段により受信された電波が表す内容を出力するテレビ放送出力手段と、を備え、テレビ放送を受信可能なテレビ放送受信装置に取付可能に構成されていることを特徴とする請求項１ないし請求項９の何れか１項に記載の分離式携帯電話である。
【００１６】
次に、請求項１１の発明は、外部外付けユニットを着脱自在に接続するための外部入出力端子を備えていることを特徴とする請求項１乃至請求項１０の何れか１項に記載の分離式携帯電話である。
【００１７】
次に、請求項１２の発明は、記憶媒体を着脱自在に備えると共にその記憶媒体が記憶する情報の読み書きが自在な外部外付けユニットを、外部入出力端子を介して接続可能であることを特徴とする請求項１１に記載の分離式携帯電話である。
【００１８】
次に、請求項１３の発明は、画像を撮影する撮影手段を備え、撮影手段により撮影された画像を取り込むと共にその取り込んだ画像を印刷可能な外部外付けユニットを、外部入出力端子を介して接続可能であることを特徴とする請求項１１に記載の分離式携帯電話である。
【００１９】
次に、請求項１４の発明は、外部入出力端子を介して、経路案内を行うナビゲーション装置と接続可能に構成されると共に、ナビゲーション装置から入力される経路案内に関する情報を周囲に報知可能に構成されていることを特徴とする請求項１１に記載の分離式携帯電話である。
【００２０】
次に、請求項１５の発明は、請求項１乃至請求項１４の何れか１項に記載の分離式携帯電話と着脱自在に構成され、その分離式携帯電話が有する電源機能および表示機能を共有可能に構成されたことを特徴とする外部外付けユニットである。
【発明の効果】
【００２１】
本発明の分離式携帯電話によれば、携帯電話モジュールのカバーモジュールと、本体モジュールとを外部入出力端子付ヒンジを介して分離することによって以下の優れた効果を発揮する。
（１）一台の携帯電話で現在提供されているワンセグ機能、フルブラウザ機能、メール機能、デジカメ機能、通話機能の全ての使いやすい表示画面機能を満たしたオンリーワンの携帯電話の提供が図られる。
（２）インカメラによるテレビ電話の映像がカバーモジュールと本体モジュールを離して撮影できるため、自分の表情やしぐさ、背景などを、通話をしながら送信することができる。
（３）カバーモジュールと本体モジュールを外部入出力端子付ヒンジを介して容易に脱着することができる。
（４）携帯時にワンセグ画面を見る時は、カバーモジュールから一端切り離した後本体モジュールに横向きに差し込んだ状態で使用し、据え置いた状態で見る時は、本体モジュールのレンズカバーをスライド開閉して立て掛けて使用することができる。
（５）ワンセグ用およびデジカメ用のディスプレイ画面と、基板回路と、操作ボタンと、を本体モジュールから独立させてカバーモジュール内に設けることによって、従来機種変更時にスクラップとして処分されていた携帯電話は、カバーモジュールは単体のＴＶ受信機やデジタルカメラとして、本体モジュールは、計算機、時計、メモ帳など通信機能を伴わない携帯用のデジタルグッズとして再利用できるものである。また、本体モジュールには、音声や画像が記録されたＳＤカード等の記憶メディアカードを差し込むことによって辞書機能や図鑑機能、単語暗記カード機能、ゲーム機能などの携帯用の音声・画像再生装置として再利用できるもので、本発明によって携帯電話の新しいリサイクル活用法を提案するものである。
【００２２】
本発明の分離式携帯電話によれば、携帯電話モジュールに少なくとも３以上の複数のディスプレイ画面を設けることによって以下の優れた効果を発揮する。
（１）ワンセグ機能、フルブラウザ機能、メール機能、デジカメ機能、通話機能といった多機能の携帯電話の操作機能とそれに対する最適な画面表示を複数のディスプレイ画面によって使い分けることができる。
（２）メイン画面がメール画面とサブ画面に分けられ、サブ画面が常時表示されることによって漢字変換や絵文字変換が文字入力画面の切り替えなしで入力することができる。
（３）リザーブ画面は、手書き入力画面、タッチパネル入力画面、ヘルプ画面、コピー・ペースト画面として利用することができる。
（４）トップ画面が常時表示されているのでワンセグ画面表示やフルブラウザ画面表示をしながら手作業や通話・メール送信を行うことができる。
（５）ゲーム操作ボタンがゲーム画面を挟んで両側に配置されているため、従来のポータブル型のゲーム機と同じような操作感覚でゲームを楽しむことができる。
【００２３】
本発明の分離式携帯電話によれば、外部入出力端子付ヒンジにバッテリー電池を装着することによって以下の優れた効果を発揮する。
（１）バッテリー電池ユニットヒンジとすることができる。
【００２４】
分離したカバーモジュールの外部入出力端子部にバッテリー電池ユニットを接続することにより、本体モジュールに内蔵されたバッテリー電池と併用して使用できるため、長時間のワンセグ画面表示やフルブラウザ画面表示が可能になる。
（２）バッテリー電池ユニットを充電機能付バッテリー電池とすることができる。
【００２５】
バッテリー電池ユニットにコンセントおよび充電機能回路を内蔵することにより携帯用の充電器として使用することができる。
（３）バッテリー電池ユニットに回転ヒンジ機構を取り付けた構造とすることができる。
【００２６】
バッテリー電池ユニットに回転ヒンジ機構を設け、カバーモジュールと本体モジュールの中間に接続することにより携帯用の充電器として使用したり、画面の表示方向をフレシキブルに設定できることにより携帯ユーザーが自由な姿勢で使用することができる。
【００２７】
本発明の分離式携帯電話によれば、カバーモジュールのトップ画面側とメイン画面側を分割し、該メイン画面側に回動機構ならびにストッパー機構を内蔵したことによって以下の優れた効果を発揮する。
（１) カバーモジュールのメイン画面側をトップ画面側のモジュールをベースに９０度回動させて横型表示画面にすることができるため、携帯電話モジュールを分離する方式と分離しない方式の２通りの方式を選択できる構造を有する。
（２)トップ画面のモジュールをベースにカバーモジュールのメイン画面を９０度回動させてワンセグ画面表示やフルブラウザ表示の横型表示画面に使い分けすることができる。（３)ワンセグ画面表示やフルブラウザ画面表示中にメールや通話ができる。
（４)ベースモジュールの段差がない。
（５)ゲーム操作ならびにデジカメ撮影画面は見やすい横型画面で表示される。
【００２８】
本発明の分離式携帯電話によれば、外部入出力端子付ヒンジに装着される外部外付けユニットと携帯電話との電源機能および表示機能を共有することによって以下の優れた効果を発揮する。
（１）ユーザーが個々に要求する拡張機能に対して外付け装備で対応するものであり、また、外部外付けユニットは、携帯電話の電源機能および表示機能を共有することによって小型・軽量化が図られる。
（２）携帯電話の電源機能および表示機能を共有することによってビジネスツールに必要なすべての機能を取り揃えた従来にない携帯電話として今後多くの機能的な外部外付けユニットの開発が見込まれる。例えば、ストロボ、ラジオ、スピーカー、プリンター、携帯カラオケ、電子ペン、マウス、電子プラモデル、電子辞書、電子読書、電子図鑑、電子地図、電子証明書表示（免許証・学生証・会員証・登録証）などの利用法が考えられる。
（３）ハンドスキャナーで印刷物やメモを読み込み、その取り込み画像をメール送信するＦＡＸ機能を装備することができる。
（４）手動のミニ交換レンズをレンズ部に装着することにより、望遠レンズや魚眼レンズ効果を手軽に楽しむことができる。
【発明を実施するための最良の形態】
【００２９】
本発明は、カバーモジュール２と本体モジュール３を外部入出力端子付ヒンジ１０を介して分離することができる分離式携帯電話１において、カバーモジュール２と本体モジュール３に複数のディスプレイ画面を配設し、カバーモジュール２の外部入出力端子付ヒンジ１０にバッテリー電池１１を接続した構造と、さらにカバーモジュール２のトップ画面側２６とメイン画面側２７を分割し、該トップ画面側２６とメイン画面側２７の何れかに回動機構ならびにストッパー機構１９を内蔵した構造と、携帯電話の電源機能ならびに表示機能を共有する外部外付けユニット２４構造を採用していることを最大の特徴とするもので、以下、本発明にかかる分離式携帯電話１の実施形態を図面に基づいて説明する。
【００３０】
図１は、本発明にかかる分離式携帯電話１の全体構成を示す説明図である。図２１は、分離式携帯電話１の具体的構成を示すブロック図である。また、図２２は、カバーモジュール２及び本体モジュール３それぞれが有する機能を示すブロック図である。
【００３１】
図１（ａ）は、カバーモジュール２と本体モジュール３に複数のディスプレイ画面を配設した分離式携帯電話１を示す全体斜視図である。
図１（ｂ）は、本体モジュール３のフロント部を示し、デジカメの撮影レンズが装備され、内蔵フラッシュやレンズカバー１４がスライド式に設けられている。さらにレンズカバー１４は、ヒンジによって開閉式に装着され、ワンセグ画面設定時に立て掛けスタンドとして利用できる構造を有する。
【００３２】
図１（ｃ）は、カバーモジュール２のリア部を示し、中央にトップ画面４が配置され、該トップ画面４を挟んでゲーム操作ボタン１７とデジカメ操作ボタン１８が配置されている。トップ画面４は、ゲーム画面、ワンセグ画面、ブラウザ画面、受信メール画面、待受け画面、イルミネーション画面など使用目的に合わせて切り替えて使用することができる。
【００３３】
図１（ｄ）は、カバーモジュール２のメイン画面５部を示し、メール画面６とサブ画面７で構成され、メール画面６は、メール文入力表示画面として、サブ画面７は、漢字変換画面、絵文字変換画面として主に使用される。サブ画面７は、漢字変換画面、絵文字変換画面として常時表示されるためメール画面６でメール文を入力する際も常時メール画面６が表示されることによって画面が変換される時間を要しないため使いやすく、入力文字も素早く入力することができる。
【００３４】
図１（ｅ）は、本体モジュール３の操作部を示し、リザーブ画面８と操作入力ボタン９から構成され、リザーブ画面８は、手書き入力画面、タッチパネル入力画面、ヘルプ画面、コピー・ペースト画面として切り替えて使用される。また、リザーブ画面８が手書き入力画面、タッチパネル入力画面として使用することができるため、ボタン操作が苦手で遅い人は、手書き入力やローマ字入力によって簡単にメールが作成できる。さらに、使い方に迷ったら操作マニュアルを表示するヘルプ画面として使用したり、よく使う挨拶文や話し言葉を登録することによって簡単にコピー・ペースト画面として使用することができる。
【００３５】
操作入力ボタン９は、選択確定ボタンと英数字入力ボタンで構成される。
次に、図２１に示すように、分離式携帯電話１は、プログラムに従い動作して各種処理を実行するＣＰＵ３０と、そのＣＰＵ３０が実行するプログラムを格納するＲＯＭ３２と、ＣＰＵ３０の演算結果等が一時的に記憶されるＲＡＭ３４と、外部の機器等と通信を行うための通信部３６と、通信部３６と接続される無線アンテナ３７と、音や音声を出力する音出力部３８と、カメラモジュール４０と、画像を表示する表示部４２と、使用者が情報を入力するための入力部４４と、情報の読み書きが可能なフラッシュメモリ４６と、メモリカード（図示省略）の情報の読み書きを行うためのメモリスロット４８と、分離式携帯電話１と外部の機器とを接続するための外部入出力端子５０と、テレビ放送の電波を受信するためのテレビ受信モジュール５２と、を備えている。尚、アンテナ３７は、テレビ放送の電波を受信する機能も備えている。
【００３６】
表示部４２は、ディスプレイ画面（液晶ディスプレイ）に相当する。
入力部４４は、操作入力ボタン９、ゲーム操作ボタン１７、デジカメ操作ボタン１８に相当する。
【００３７】
外部入出力端子５０は、外部入出力端子付ヒンジ１０を接続するための端子である。
テレビ受信モジュール５２は、地上デジタルテレビジョン放送電波のうち、携帯電話や移動体端末向けのワンセグメント部分の電波を受信するものである。つまり、いわゆるワンセグ放送電波を受信するためのものである。
【００３８】
次に、図２２に示すように、カバーモジュール２、及び本体モジュール３は、各種機能を有する。
まず、カバーモジュール２は、ワンセグ放送電波を受信してそのワンセグ放送電波が表す画像を表示するワンセグ機能６０と、静止画や動画を撮影して記録するカメラ機能６２と、インターネットのサイトに接続するためのブラウザ機能６４と、ゲームのプログラムをダウンロードしたりそのダウンロードしたプログラムに基づいたゲームを行うためのゲーム機能６６と、メールの送受信を行うメール機能６８と、を備えている。
【００３９】
次に、本体モジュール３は、公衆通信回線に接続された電話機と通話を行うための電話機能７０と、電卓機能７２と、例えば世界各地の時刻と計時する時計機能７４と、テキストデータなどを記録するメモ帳機能７６と、カレンダー表示やスケジュール管理を行うカレンダー機能７８と、カバーモジュール２を外部から操作するためのリモコン機能８０と、を備えている。尚、図２２に示した機能は一例である。例えば、本体モジュール３は、他に、電子マネー機能、バーコード、ＱＲコード（登録商標）等の読取機能及び作成機能、音楽プレイヤー機能、等を備えていても良い。
【００４０】
図２は、本発明にかかる分離式携帯電話１を分離する使用状態を示す説明図である。
図２（ａ）〜図２（ｄ）に示すように、本体モジュール３とカバーモジュール２を外部入出力端子付ヒンジ１０を介して分離することができる。本体モジュール３とカバーモジュール２は、外部入出力端子付ヒンジ１０を介して着脱可能な構造を有しているため、簡単に引き離して分離することができる上、分離された本体モジュール３は、単体のストレート型携帯電話として使用することができる。また、カバーモジュール２は、単体のワンセグ表示画面やブラウザ表示画面として使用することもできる構造である。その際のメイン画面５は、メール画面６とサブ画面７を同一画面で表示される仕様となっている。尚、外部入出力端子ヒンジ１０は、一般的な外部入出力端子を備えるものであって、特にその構造及び形状を限定するものではない。
【００４１】
図３は、本発明にかかる分離式携帯電話１を分離する使用状態を示す説明図である。
ワンセグ視聴状態を示すもので、カバーモジュール２のトップ画面４は、ワンセグ画面に切り替えられ、レンズカバー１４で立て掛けられている。本体モジュール３は、ケーブル配線またはリモコン仕様となり、チャンネルの切り替えや音量・画質調節操作は、操作入力ボタン９によって行うことができる。
【００４２】
図４は、本発明にかかる分離式携帯電話１を分離する使用状態を示す説明図である。
本体モジュール３にカバーモジュール２を外部入出力端子付ヒンジ１０を介して入力し易いＴ字型に交差して取り付けることができる。携帯時のインターネットブラウザ画面表示状態を示すもので、カバーモジュール２のトップ画面４は、フルブラウザ画面に切り替えられ、画面の切り替えや検索文字入力は、本体モジュール３の操作入力ボタン９によって行なわれる。尚、図では携帯時の連結した状態を示しているが、図３で示すような遠隔操作を行なうことも可能である。
【００４３】
図５は、本発明にかかる分離式携帯電話１を分離する使用状態を示す説明図である。
インカメラ１６によるテレビ電話の映像がカバーモジュール２と本体モジュール３を離して撮影できる構造を有し、自分の表情やしぐさ、背景などを、通話をしながら送信することができるため、今までにない新しい携帯電話の使い方を実現できる。
【００４４】
図６は、本発明にかかる分離式携帯電話１を分離する使用状態を示す説明図である。カバーモジュール２と本体モジュール３の連結部に２軸ヒンジ１５を介することでトップ画面４とメイン画面５が共有化されることによって、製品のコストダウンや軽量化が図られるものである。
【００４５】
図７は、本発明にかかる分離式携帯電話１の複数画面による使用状態を示す説明図である。
図７（ａ）は、カバーモジュール２と本体モジュール３が閉じられた状態のトップ画面４を示すもので携帯時の開閉作業が不要の受信メール画面として利用することができる上、待受け画面やイルミネーション画面として利用することができる。
【００４６】
図７（ｂ）は、カバーモジュール２と本体モジュール３が閉じられた状態のトップ画面４を示すもので、ワンセグ画面として使用している状態を示すもので、レンズカバー１４によって立て掛けられている。
【００４７】
図７（ｃ）は、カバーモジュール２と本体モジュール３が開いた状態のメイン画面５と操作入力ボタン９を示すもので、通常この状態でメール送信や通話を行なうことができる。
【００４８】
図７（ｄ）は、リザーブ画面８を手書き入力画面、タッチパネル入力画面、ヘルプ画面、コピー・ペースト画面として切り替えして使用することができる。また、操作入力ボタン９は、選択確定ボタンと英数字入力ボタンで構成される。
【００４９】
図８は、本発明にかかる分離式携帯電話１の複数画面による使用状態を示す説明図である。
図８（ａ）は、カバーモジュール２と本体モジュール３が閉じられた状態のデジカメ仕様のトップ画面４を示すもので、トップ画面４は、ファインダー画面に切り替えられ、さらにファインダー画面を挟んで両サイドにデジカメ操作ボタン１８が設けられることによって両手で持つことができるため手ブレが防止され、さらに大型のファインダー画面によって見やすく通常のデジタルカメラと同様に操作することができる。
【００５０】
図８（ｂ）は、カバーモジュール２と本体モジュール３が閉じられた状態のゲーム仕様のトップ画面４を示すもので、トップ画面４は、大型のゲーム画面に切り替えられ、さらにゲーム画面を挟んで両サイドにゲーム操作ボタン１７が設けられることによって、ポータブル型のゲーム機と同様に操作することができる。
【００５１】
図９は、本発明にかかる分離式携帯電話１の回動画面による使用状態を示す説明図である。
カバーモジュール２をトップ画面側２６とメイン画面側２７とに分割し、該トップ画面側２６とメイン画面側２７の何れかを回動機構ならびにストッパー機構１９を内蔵した構造を採る。
【００５２】
図９（ａ）は、カバーモジュール２のメイン画面側２７とトップ画面側２６の中間に回動機構とストッパー機構を内蔵させ、メイン画面側２７のモジュールをトップ画面側２６のモジュールをベースに９０度回動させることによってワンセグ表示やフルブラウザ表示の横型表示画面にすることができる。メイン画面側２７のカバーモジュール２大きさは、トップ画面側２６のカバーモジュール２と比較して回動する矩形の対角線の長さが外部入出力端子付ヒンジ１０と接触を避ける分小さくなるが、回動機構ならびにストッパー機構１９は、回動して係止する機能を有していれば良く、特にその構造及び形状を限定するものではない。
【００５３】
図９（ｂ）は、カバーモジュール２のメイン画面側２７をトップ画面側２６のモジュールをベースに９０度回動させてワンセグ表示やフルブラウザ表示の横型表示画面にすることができるため、本発明の回動画面方式は、分離式と分離しない方式の２通りの方式を採ることができることも大きな特徴とも言える。尚、メイン画面側２７は、メール画面６とサブ画面７を同一画面で表示される仕様となっている。
【００５４】
図９（ｃ）は、トップ画面側２６のモジュールの背面にメイン画面側２７のカバーモジュール２が回動機構によって連結されるため、従来のような段差がなくフラットなトップ画面側２６のモジュールのフォルムが形成できる構造である。
【００５５】
図９（ｄ）は、回動機構ならびに２軸ヒンジ１５を設けた携帯電話とすることで、ワンセグ表示やフルブラウザ表示が見やすい横型表示画面とすることができると共にトップ画面４とメイン画面５の共有化が図られ、ディスプレイ画面を一面省力する構造とすることもできるため、分離して得られる利点を除けば、使いやすさと低コストの面から従来にない携帯電話を提供することができる。
【００５６】
図１０は、本発明にかかる分離式携帯電話１のバッテリー電池１１を装着した使用状態を示す説明図である。
図１０（ａ）は、インターネットブラウザ画面を長時間表示する時の使用状態を示す。
【００５７】
カバーモジュール２の外部入出力端子２８にバッテリー電池１１を外付けしたもので、インターネットブラウザ使用時の長時間使用に耐える構造とすることができる。尚、外部入出力端子２８は、一般的な外部入出力端子を備えるものであって、特にその構造及び形状を限定するものではない。
【００５８】
図１０（ｂ）は、ワンセグ画面を長時間表示する時の状態を示す。
カバーモジュール２の外部入出力端子付２８にバッテリー電池１１を外付けしたもので、ワンセグ使用時の長時間使用に耐える構造とすることができる。
【００５９】
図１０（ｃ）は、充電機能付バッテリー電池２１を装着した状態を示す。
バッテリー電池１１ユニットにコンセントと充電機能回路を内蔵したもので、外出先でも家庭用コンセントがある場所ではいつでも充電できるものであり、コンセントを畳めば、携帯用のバッテリー電池１１としても利用できる。
【００６０】
図１０（ｄ）は、２軸式バッテリー電池２１ユニットを装着した状態を示す。
バッテリー電池１１ユニットに回転式ヒンジ機構２５を有した２軸式バッテリー電池２１ユニットをカバーモジュール２と本体モジュール３の中間に接続することにより携帯用の充電器として画面の表示方向をフレシキブルに設定できるものであり、また携帯ユーザーが自由な姿勢で使用することができる構造でもある。
【００６１】
図１１は、本発明にかかる分離式携帯電話１の外部外付けユニット２４による実施形態を示す説明図である。外部外付けユニット２４を携帯電話の表示機能および電源機能と共有させることによって、ビジネスツールに必要な全ての機能を取り揃えた全く新しい携帯電話とすることができる。
【００６２】
図１１（ａ）は、交換レンズ１２装着時の状態を示す。
手動のミニ交換レンズ１２をカバーモジュール２のレンズ部１３に装着することにより、望遠レンズや魚眼レンズ効果を手軽に楽しむことができる。
【００６３】
図１１（ｂ）は、ＳＤカード再生装置２２を装着した状態を示す。
このＳＤカード再生装置２２は、例えばボイスレコーダーの機能を実現する。具体的には、ＳＤカードに記録された音声を再生したり、外部から入力される音を表す音を表すデータをＳＤカードに記録する。また、ＳＤカード再生装置２２は、ＳＤカードに記録された画像を再生する（例えばトップ画面４に表示する）こともできる。
【００６４】
図１１（ｃ）は、ハンドスキャナー２３を装着した状態を示す。
バッテリー電池１１ユニットを介したハンドスキャナー２３で印刷物やメモを読み込み、その取り込み画像をメール送信するＦＡＸ機能を装備することができる。
【００６５】
図１１（ｄ）は、デジタル名刺などの画像表示状態を示す。
その他の外部外付けユニット２４の使い方としては、ストロボ、ラジオ、スピーカー、プリンター、携帯カラオケ、電子ペン、マウス、電子プラモデル、電子辞書、電子読書、電子図鑑、電子地図、電子証明書表示（免許証・学生証・会員証・登録証）などの利用法が考えられる。
【００６６】
図１２は、本発明にかかる分離式携帯電話１の型式系統を示す説明図である。
現在一般に販売されている携帯電話の多くは、図中央のストレート式、開閉式、スライド式の３タイプに分けられ、さらに開閉式は図下方の開閉スライド回転式、開閉２軸回転式、開閉縦横オープン式に分けられる。現在、ワンセグ機能、フルブラウザ機能、メール機能、デジカメ機能、通話機能といった多機能の携帯電話が提供されているが、一機種で上記全て機能を満し、さらに縦横の画面表示ができる携帯電話の登場を見ないため、携帯ユーザーは既存のストレート式、開閉式、スライド式、開閉スライド回転式、開閉２軸回転式、開閉縦横開閉式の６機種の何れかの中から自分が多用する機能を備えた携帯電話を消去法の中から選ばなければならない問題点を本発明にかかる分離式携帯電話によって解決することができるものである。
【００６７】
以下簡単に旧来の携帯電話の各型式における特徴を列記する。
（１）ストレート式
簡単機能志向のユーザー向きで、本体モジュールのフロント面にメール画面と通話機能が配置された基本的な型式で、簡単操作、薄型構造、使い勝手が良いなどの利点があるが、今後主流となるワンセグ画面やフルブラウザ画面の横型画面表示には不向きな欠点がある。
【００６８】
（２）スライド式
ゲーム、ワンセグ、デジカメ志向のユーザー向きで、横型のワンセグ画面、ゲーム画面、デジカメ表示画面には最適だが、メール画面は、操作入力ボタンエリアがカバーモジュールのスライド量によって限定されるため入力しづらいことやトップ画面が操作入力ボタンに対して縦型になるためフルブラウザ画面表示には不向きな欠点がある。
（３）開閉式
メール志向のユーザー向きで、メール操作が容易で画面表示が大きく、携帯電話本体のデザイン性が良いなどの長所があるが、ワンセグ画面やフルブラウザ画面の横型画面表示ができないことやゲーム画面が縦型になる、デジカメ撮影が片手操作になる、着信時に開閉動作を必要とするなどの不便さが伴う欠点がある。
（４）開閉二軸回転式
カバーモジュールを裏返してトップ画面とメイン画面が共有化され、メール送信やワンセグ画面表示には向いているが、フルブラウザ表示の横型画面と操作入力ボタンの方向が異なる欠点がある。
（５）開閉スライド回転式
フルブラウザ志向のユーザー向きで、メイン画面をスライド回転させてワンセグ表示やフルブラウザ表示の横型画面仕様に簡単にすることができるが、ワンセグ表示やフルブラウザ表示中にメール送信や通話ができないことやベースモジュールの段差やゲーム画面・デジカメ撮影画面は縦型になる欠点がある。
（６）開閉縦横オープン式
メールおよびワンセグ志向のユーザー向きで、メール画面が縦向きに、ブラウザ表示画面やワンセグ画面を横型にすることができるが、横型のブラウザ表示画面と操作入力ボタンの方向が異なる欠点がある。
【００６９】
次に、図１３〜図２０を用いて、外部外付けユニット２４の一例、及び分離式携帯電話１の利用法の一例について説明する。
図１３では、分離式携帯電話１がＳＤカードスロットを備えている。
【００７０】
ＳＤカードには、図１３に例示するように、辞書のデータ、図鑑のデータ、規格のデータ、写真・画像データなど、種々のデータを記録させることができる。そして、分離式携帯電話１では、ＳＤカードに記録されたデータを読み込むことにより、辞書機能をはじめとした種々の機能を利用することができるようになる。
【００７１】
図１４では、外部外付けユニット２４の一例として、いわゆるプリクラのシールを作成するプリクラプリンター１００を図示している。
図１４（ａ）に示すように、このプリクラプリンター１００は、外部入出力端子を介して分離式携帯電話１に接続される。また、プリクラプリンター１００は、外部入出力端子を介して分離式携帯電話１から電源の供給を受けて動作する。
【００７２】
プリクラプリンター１００は、図１４（ｂ）に示すように、画像を取り込む画像取込部１０２と、操作部１０４と、表示部１０６と、印刷部１０８とを備えている。
画像取込部１０２は、分離式携帯電話１において撮影された画像を、外部入出力端子を介した通信により取り込む機能を有する。
【００７３】
操作部１０４は、使用者が操作する操作ボタンからなる。使用者は、操作部１０４を介して、印刷枚数、画像の大きさ、色合い等、種々の条件を設定できるようになっている。
表示部１０６は、分離式携帯電話１から取り込んだ画像を表示したり、シールの完成イメージを表示したりする。尚、分離式携帯電話１が備えるディスプレイ画面に、プリクラプリンター１００が取り込んだ画像や、シールの完成イメージなどを表示するようにしても良い。このように構成すれば、プリクラプリンター１００における表示部１０６を省略することができる。
【００７４】
印刷部１０８は、所望の画像をプリクラ用のシールに印刷する機能を有する。
このようなプリクラプリンター１００においては、使用者の操作に基づき、分離式携帯電話１から所望の画像が取り込まれる。そして、表示部１０６に、その画像が表示される。
【００７５】
また、使用者の操作に基づき、シールの印刷枚数、印刷する画像の大きさ、色合い、などが設定される。尚、使用者は、操作部１０４を介して、画像にイラストや模様を付加することもできるようになっている。使用者により設定された画像（印刷イメージ）は、表示部１０６に表示される。
【００７６】
そして、プリクラプリンター１００では、そのプリクラプリンター１００に設けられたシール挿入口から挿入されたプリクラ用のシールに、使用者により設定された所望の画像が印刷され、画像が印刷された後のシールが、シール排出口から排出される。
【００７７】
次に、図１５について説明する。
図１５は、分離式携帯電話１の利用例を表すものであり、特に、車両におけるカーナビゲーションシステムでの利用例を表す。
【００７８】
図１５に示すように、分離式携帯電話１は、カーナビゲーションの機能を有するカーナビ装置２００と、ＲＣＡコード２０２を介して接続される。ＲＣＡコードとは、オーディオ機器等に一般的に用いられる差し込みプラグを有するケーブルである。尚、外部入出力端子（例えば図１４参照）を有するケーブルを介して、カーナビ装置２００と分離式携帯電話１とが接続される構成でも良い。
【００７９】
分離式携帯電話１には、ＲＣＡコード２０２を介して、カーナビ装置２００から、地図データや車両の現在位置データ等が入力されるようになっている。そして、分離式携帯電話１においては、カーナビ装置２００から入力された地図データが表す地図がディスプレイ画面に表示されると共に、その地図上に、車両の現在位置が表示されるようになっている。例えば、カーナビ装置２００のディスプレイに表示される画像と同じ画像が分離式携帯電話１のディスプレイ画面に表示される。
【００８０】
分離式携帯電話１を、例えば、前座席のシートの後方側に設置すれば、後部座席に同乗している人は、分離式携帯電話１のディスプレイ画面を参照することで、カーナビ装置２００に表示される画像（経路案内の画像）と同じ画像を見ることができるようになる。このように、分離式携帯電話１を、カーナビゲーションシステムにおける後部座席用モニターとして利用できる。もしくは手持ちの分離式携帯電話１にカーナビゲーションの地図画像を表示することができる。
【００８１】
次に、図１６では、いわゆるドライブレコーダーとしての分離式携帯電話１の利用例を表す。
ドライブレコーダーとは、一般的に、衝撃・急ブレーキ・急ハンドルなどを自動的に検知し、その際の映像等を記録するものであるが、図１６の例では、分離式携帯電話１は、上記のような危険時にかかわらず常時、カメラにて車両の前方ならびに周囲の画像（動画）を撮影し、その撮影画像を、分離式携帯電話１が備えるメモリに記憶させるようになっている。尚、ＳＤカードスロットを備え、ＳＤカードに撮影画像を記憶させるように構成しても良い。
【００８２】
この図１６の例では、一般的に普及した携帯電話を高価なドライブレコーダーの代替え品として利用するもので、運転席のフロント部に取り付けることによって、接触事故や自損事故あるいは交通事故や犯罪行為の目撃画像として保険会社や警察当局への証拠画像として提出できるものである。
【００８３】
操作方法は、運転開始時にドライブレコーダーボタンを押すことによって録画が開始され、非常時において運転者自身によって緊急ボタンが押されることによって緊急ボタンが押された１２秒間の前後状況を録画・再生するものである。通常時は、記憶メモリ容量内でエンドレスで上書き録画保存されるもので、衝撃・急ブレーキ・急ハンドル操作などを自動的に検知する高価な機能を備えていない携帯電話によってドライブレコーダーの機能を果たすことができると同時に、事故現場での画像再生が即時可能となるため、当事者同士の事故状況の確認が駆けつけた警察官と立ち合いの元で正確に実況検分ができるものである。
【００８４】
無論、分離式携帯電話１に、衝撃・急ブレーキ・急ハンドルなどを自動的に検知する機能を備えると共に、検知された際にカメラが起動して画像が記録されるような構成にしても良い。例えば、分離式携帯電話１に、衝撃センサ、振動センサ、加速度センサ、ジャイロスコープ等を設け、分離式携帯電話１において、衝撃・急ブレーキ・急ハンドルなどが検知されるように構成しても良い。また、車両における所定の電子制御装置が衝撃・急ブレーキ・急ハンドルなどを検知し、検知された旨が電子制御装置から分離式携帯電話１に入力されるような構成でも良い。
【００８５】
図１６では、さらに以下のような利用例も考えられる。
具体的には、分離式携帯電話１を、車両外部に設けられた図示しないカメラ（以下、外部カメラと記載する）と接続する。そして、分離式携帯電話１において、その外部カメラにて撮影された画像がリアルタイムでその分離式携帯電話１のディスプレイに表示されるようにする。
【００８６】
これによれば、外部カメラによって例えば運転者から死角となる方向や運転者にとって見えにくい方向を撮影することで、運転者は、その死角や見えにくい方向の画像を、分離式携帯電話１のディスプレイ画面を介して見ることができるようになる。このため、不注意による事故等を未然に防ぐことができるものである。
【００８７】
次に、図１７では、玩具（例えばヘリコプター）を遠隔操作するリモコン装置としての分離式携帯電話１の利用例を表す。
図１７の例では、デジカメ操作ボタン１８、或いはゲーム操作ボタン１７を操作することで、模型ヘリコプターを遠隔操縦できるようになっている。
【００８８】
分離式携帯電話１と模型ヘリコプター本体との間の無線通信手段としてはＢｌｕｅｔｏｏｔｈ（登録商標）が用いられ、１０〜１００ｍ程度の範囲において通信が可能となっている。
【００８９】
次に、図１８に示す利用例について説明する。
図１８では、使い古された分離式携帯電話１がテレビ（例えば薄型テレビ）３００に付属するマルチサブ画面ボックス３０２に埋設して使用される状態を表す。
【００９０】
分離式携帯電話１は、既に述べたように、所謂ワンセグ機能を備えており、地上デジタルテレビ放送を受信することができる。
このような図１８によれば、薄型テレビ３００の受信チャンネルと、その薄型テレビ３００に埋め込まれた分離式携帯電話１における受信チャンネルとを異なるものとすることで、利用者は、異なる番組を同時に視聴することができると共に使い古された分離式携帯電話１の有効利用を図ることができる。
【００９１】
尚、分離式携帯電話１のうち、少なくともワンセグ機能を備えたカバーモジュール２の部分が薄型テレビ３００のマルチサブ画面ボックス３０２に埋め込み可能に構成することもできる。さらに、本体モジュール３を例えばカバーモジュール２のリモコン装置として利用すれば、離れた位置から、カバーモジュール２の受信チャンネルを変更することができる。つまり、カバーモジュール２において放映されるテレビチャンネルを、離れた位置から自由に変更することができ、使い勝手が向上する。
【００９２】
次に、図１９に示す利用例について説明する。
図１９の例では、分離式携帯電話１は、ドアにおける室内側の面に、ディスプレイ画面を室内側に向けて取り付けられるドアフォンとして利用するものである。具体的には、ドアには分離式携帯電話１を取り付けるための取り付けフォルダー４００が設けられ、分離式携帯電話１は、その取り付けフォルダー４００を介してドアに取り付けられる。また、ドアに設けられたカメラ窓４０２を介して、カメラにより室外を撮影可能になっている。更に、マイク窓４０４を介して、マイクにより室外の訪問者のメッセージを集音できるようになっている。
【００９３】
分離式携帯電話１は、使用者の操作に基づき（押しボタンが押されることにより）カメラにより室外を撮影し、撮影した画像をディスプレイ画面に表示させる。
これによれば、使用者は、分離式携帯電話１を用いて、室内にいながら室外の様子を知ることができる。このため、室内にいる使用者は、ドアを開けることなく、訪問者等を容易に確認することができ、防犯上有効である。
【００９４】
次に、図２０に示す例について説明する。
図２０の例では、分離式携帯電話１を位牌として用いた例である。より具体的に、図２０の例では、分離式携帯電話１が、位牌に埋め込み可能に構成されている。
【００９５】
例えば、分離式携帯電話１のディスプレイ画面に故人の生前の写真等を表示したり、故人のメッセージをスピーカーを介して出力したりすることで、遺族等は改めて故人を偲ぶことができる。携帯電話に思い出のメールや写真が記憶されているなどの理由で使用しなくなった携帯電話を保管する人も多く、そのような点を鑑みると、図２０のような利用例は非常に有効である。
【００９６】
尚、本実施形態において、カメラモジュール４０が撮影手段に相当し、表示部４２が表示手段に相当し、ＣＰＵ３０が表示制御手段に相当し、ＣＰＵ３０、通信部３６、及び無線アンテナ３７が外部機器制御手段に相当し、テレビ受信モジュール５２が電波受信手段に相当し、音出力部３８及び表示部４２がテレビ放送出力手段に相当し、メモリ（ＲＯＭ３２、ＲＡＭ３４、フラッシュメモリ４６、或いはメモリスロット４８）、音出力部３８、表示部４２が記憶再生手段に相当している。
【００９７】
[産業上利用の可能性]
本発明は、縦横ディスプレイ画面を容易に使い分けることができる機能と消費電力の二つの問題を解決した分離式携帯電話のみならず、従来買替えによって処分されていた古い携帯電話を、本実施例以外に通話機能を持たないＴＶ受信機やデジタルカメラ、計算機、時計、メモ帳などの携帯用の表示・撮影装置としてのカバーモジュールの再利用や、音声や画像が記録されたＳＤカードを差し込むことによって単語暗記カード機能、ゲーム機能、レコーダー機能などの携帯用の音声・画像再生装置としての本体モジュールの再利用が図れる上、携帯電話の電源機能および表示機能を共有する外部外付けユニットを外部入出力端子に接続することにより、従来の家電商品、スポーツ商品、測定商品、娯楽商品、家庭用医療測定器などの多くのディスプレイ画面付デジタル商品としての利用の可能性を広げるものである。
【図面の簡単な説明】
【００９８】
【図１】本発明にかかる分離式携帯電話の全体構成を示す説明図である。
【図２】本発明にかかる分離式携帯電話を分離する使用状態を示す説明図である。
【図３】本発明にかかる分離式携帯電話を分離する使用状態を示す説明図である。
【図４】本発明にかかる分離式携帯電話を分離する使用状態を示す説明図である。
【図５】本発明にかかる分離式携帯電話を分離する使用状態を示す説明図である。
【図６】本発明にかかる分離式携帯電話を分離する使用状態を示す説明図である。
【図７】本発明にかかる分離式携帯電話の複数画面による使用状態を示す説明図である。
【図８】本発明にかかる分離式携帯電話の複数画面による使用状態を示す説明図である。
【図９】本発明にかかる分離式携帯電話の回動画面による使用状態を示す説明図である。
【図１０】本発明にかかる分離式携帯電話のバッテリー電池を装着した使用状態を示す説明図である。
【図１１】本発明にかかる分離式携帯電話の外部外付けユニットによる実施形態を示す説明図である。
【図１２】本発明にかかる分離式携帯電話の型式系統を示す説明図である。
【図１３】分離式携帯電話の利用例を表す図である（その１）。
【図１４】分離式携帯電話の利用例を表す図である（その２）。
【図１５】分離式携帯電話の利用例を表す図である（その３）。
【図１６】分離式携帯電話の利用例を表す図である（その４）。
【図１７】分離式携帯電話の利用例を表す図である（その５）。
【図１８】分離式携帯電話の利用例を表す図である（その６）。
【図１９】分離式携帯電話の利用例を表す図である（その７）。
【図２０】分離式携帯電話の利用例を表す図である（その８）。
【図２１】本発明にかかる分離式携帯電話の具体的構成を示すブロック図である。
【図２２】カバーモジュール２及び本体モジュール３が有する機能を示すブロック図である。
【符号の説明】
【００９９】
１  分離式携帯電話
２  カバーモジュール
３  本体モジュール
４  トップ画面
５  メイン画面
６  メール画面
７  サブ画面
８  リザーブ画面
９  操作入力ボタン
１０  外部入出力端子付ヒンジ
１１  バッテリー電池
１２  交換レンズ
１３  レンズ部
１４  レンズカバー
１５  ２軸ヒンジ
１６  インカメラ
１７  ゲーム操作ボタン
１８  デジカメ操作ボタン
１９  回動機構とストッパー機構
２０  充電機能付バッテリー電池
２１  ２軸式バッテリー電池
２２  ＳＤカード再生装置
２３  ハンドスキャナー
２４  外部外付けユニット
２５  回転式ヒンジ機構
２６  カバーモジュールのトップ画面側
２７  カバーモジュールのメイン画面側
２８  外部入出力端子
３０  ＣＰＵ
３２  ＲＯＭ
３４  ＲＡＭ
３６  通信部
３７  無線アンテナ
３８  音出力部
４０  カメラモジュール
４２  表示部
４４  入力部
４６  フラッシュメモリ
４８  メモリスロット
５０  外部入出力端子
５２  テレビ受信モジュール
【図１】
2008263622.tif 000003
【図２】
2008263622.tif 000004
【図３】
2008263622.tif 000005
【図４】
2008263622.tif 000006
【図５】
2008263622.tif 000007
【図６】
2008263622.tif 000008
【図７】
2008263622.tif 000009
【図８】
2008263622.tif 000010
【図９】
2008263622.tif 000011
【図１０】
2008263622.tif 000012
【図１１】
2008263622.tif 000013
【図１２】
2008263622.tif 000014
【図１３】
2008263622.tif 000015
【図１４】
2008263622.tif 000016
【図１５】
2008263622.tif 000017
【図１６】
2008263622.tif 000018
【図１８】
2008263622.tif 000019
【図１９】
2008263622.tif 000020
【図２０】
2008263622.tif 000021
【図２１】
2008263622.tif 000022
【図２２】
2008263622.tif 000023
【図１７】
2008263622.tif 000024